(57)【要約】【課題】第一のユニットと第二のユニットの組付けの作業性が良好な表示装置を提供する。【解決手段】表示装置は、第一のユニットＡと、第二のユニットＢとを有する。第一のユニットＡは、表示光Ｌを発する表示器２１と、外光の照度を検出して照度データを出力する外光検出素子４１と、照度データに基づいて表示器２１の発光輝度を調整する制御手段６２と、表示器２１を収容する第一のケース体５１とを備えている。第二のユニットＢは、表示光Ｌが出射する透光性カバー５４と、透光性カバー５４が設けられる開口部５３を有し第一のケース体５１に組付けられる第二のケース体５２とを備えている。【選択図】  図１
2004322798.tif 000002
【特許請求の範囲】
【請求項１】
表示光を発する表示器と、外光の照度を検出して照度データを出力する外光検出素子と、前記照度データに基づいて前記表示器の発光輝度を調整する制御手段と、前記表示器を収容する第一のケース体と、を備えた第一のユニットと、
前記表示光が出射する透光性カバーと、前記透光性カバーが設けられる開口部を有し前記第一のケース体に組付けられる第二のケース体と、を備えた第二のユニットと、からなることを特徴とする表示装置。
【請求項２】
前記第二のケース体は、前記開口部から前記表示器に太陽光が入射すること防ぐ遮光壁と、前記遮光壁の前記外光検出素子に対応する個所に形成された孔部と、を有することを特徴とする請求項１に記載の表示装置。
【請求項３】
表示光を発する表示器と、外光の照度を検出して照度データを出力する外光検出素子と、前記照度データに基づいて前記表示器の発光輝度を調整する制御手段とを、第一のケース体及び第二のケース体からなるハウジングに収容した表示装置において、
前記表示器及び前記外光検出素子を前記第一のケース体側に固定したことを特徴とする表示装置。
【請求項４】
前記外光検出素子を保持する保持部材を設け、前記保持部材を前記表示器に固定してなることを特徴とする請求項１または請求項３に記載の表示装置。
【請求項５】
前記第二のケース体は、前記第二のケース体を前記第一のケース体に組付けるときに前記保持部材に保持された前記外光検出素子を所定の位置に案内するためのガイド部を有することを特徴とする請求項４に記載の表示装置。
【請求項６】
前記保持部材と前記ガイド部の間に弾性部材を設けたことを特徴とする請求項５に記載の表示装置。
【発明の詳細な説明】
【０００１】
【発明の属する技術分野】
本発明は、表示装置に関するものであり、特に、外光の照度を検出する外光検出素子が出力した照度データに応じて表示器の発光輝度を調整する表示装置に関するものである。
【０００２】
【従来の技術】
従来より、蛍光表示管等の発光型表示器が発した表示光を反射させて虚像を表示するヘッドアップディスプレイ装置が種々提案されており、例えば特許文献１に開示されている。ヘッドアップディスプレイ装置は、車両のダッシュボード１に配設された表示装置２が投射する表示光Ｌをフロントガラス３で運転者４の方向に反射させ、虚像Ｖを表示するものである（図５参照）。
【０００３】
【特許文献１】
特開平１１−３１００５５号公報
【０００４】
表示装置２は、蛍光表示管５と凹面反射ミラー６とを有しており、これらの蛍光表示管５及び凹面反射ミラー６はハウジング７に収容されている（図６参照）。ハウジング７は、下側ケース体８と上側ケース体９とからなるものであり、上側ケース体９は、図示しない係止爪によって下側ケース体８に係止されている。上側ケース体９には、ポリカーボネート等の透光性樹脂からなる透光性カバー１０が設けられており、表示光Ｌは透光性カバーを通過してフロントガラスに投射される。
【０００５】
蛍光表示管５の後面には放熱部材１１が貼着されており、この放熱部材１１には多数の放熱フィンが形成されている。蛍光表示管５は、回路基板１２と電気的に接続されており、回路基板１２に搭載された駆動回路（図示しない）により駆動され、車両の速度を表示する。蛍光表示管５及び回路基板１２は、下側ケース体８に固定されている。
【０００６】
１３はフォトセンサ等の外光検出素子であり、この外光検出素子１３が出力する照度データに基づいて、図示しないマイコンによって蛍光表示管５の発光輝度が調整されることで、良好な表示コントラストが得られる。外光検出素子１３は回路基板１４に搭載されており、この回路基板１４は上側ケース体９に固定されている。１５はハーネス等の配線部材１５であって、この配線部材１５の一端１５ａは回路基板１４に接続され、他端１５ｂは回路基板１２に接続されている。蛍光表示管５が発した表示光Ｌは、凹面反射ミラー６で反射されて、フロントガラス３に投射される。
【０００７】
以上説明した表示装置２は、下側ケース体８に蛍光表示管５及び回路基板１２等が組付けられた第一のユニットＡと、上側ケース体９に外光検出素子１３及び回路基板１４等が組付けられた第二のユニットＢとから構成されている（図７参照）。
【０００８】
【発明が解決しようとする課題】
しかしながら、配線部材１５の長さが限られているために、回路基板１４と回路基板１２を配線部材１５で接続する作業が煩雑であるという問題を有していた。つまり、第一のユニットＡに第二のユニットＢを組付ける前に、一端１５ａが回路基板１４に接続された配線部材１５の他端１５ｂを回路基板１２に接続しなければならないが、第一のユニットＡと第二のユニットＢの間隔は、配線部材１５に長さによって制限されているため、必ずしも作業性が良好であるとは言えなかった。
【０００９】
なお、配線部材１５の長さが十分であれば、回路基板１４及び回路基板１２に配線部材１５を接続する作業は容易であるが、図５に点線で示したように、比較的長い配線部材１６を用いた場合、第一のユニットＡと第二のユニットＢを組付けたときに、配線部材１６が垂れ下がって、蛍光表示管５が発した表示光Ｌを遮る虞がある。
本発明は、この問題に鑑みなされたものであり、第一のユニットと第二のユニットの組付けの作業性が良好な表示装置を提供するものである。
【００１０】
【課題を解決するための手段】
本発明は、前記課題を解決するため、請求項１に記載したように、表示光Ｌを発する表示器２１と、外光の照度を検出して照度データを出力する外光検出素子４１と、前記照度データに基づいて前記表示器２１の発光輝度を調整する制御手段６２と、前記表示器２１を収容する第一のケース体５１と、を備えた第一のユニットＡと、前記表示光Ｌが出射する透光性カバー５４と、前記透光性カバー５４が設けられる開口部５３を有し前記第一のケース体５１に組付けられる第二のケース体５２と、を備えた第二のユニットＢと、からなるものである。
【００１１】
また、本発明は、請求項２に記載したように、前記第二のケース体５２は、前記開口部５３から前記表示器２１に太陽光が入射すること防ぐ遮光壁５５と、前記遮光壁５５の前記外光検出素子４１に対応する個所に形成された孔部５６と、を有するものである。
【００１２】
また、本発明は、請求項３に記載したように、表示光Ｌを発する表示器２１と、外光の照度を検出して照度データを出力する外光検出素子４１と、前記照度データに基づいて前記表示器２１の発光輝度を調整する制御手段６２とを、第一のケース体５１及び第二のケース体５２からなるハウジング５０に収容した表示装置において、前記表示器２１及び前記外光検出素子４１を前記第一のケース体５１側に固定したものである。
【００１３】
また、本発明は、請求項４に記載したように、前記外光検出素子４１を保持する保持部材４２を設け、前記保持部材４２を前記表示器２１に固定してなるものである。
【００１４】
また、本発明は、請求項５に記載したように、前記第二のケース体５２は、前記第二のケース体５２を前記第一のケース体５１に組付けるときに前記保持部材４２に保持された前記外光検出素子を所定の位置に案内するためのガイド部５７を有するものである。
【００１５】
また、本発明は、請求項６に記載したように、前記保持部材４２と前記ガイド部５７の間に弾性部材４５を設けたものである。
【００１６】
【発明の実施の形態】
以下、本発明を車両用ヘッドアップディスプレイに適用した一実施例を説明する。
【００１７】
２１は液晶表示器（表示器）であり、この液晶表示器２１は、液晶表示素子２２，レンズ２３，発光ダイオード２４，回路基板２５，筐体２６を有している。液晶表示素子２２は、ＴＦＴ型の液晶パネルの前後両面に偏光板を貼着したものであり、車両の速度を表示する。レンズ２３はアクリル或いはポリカーボネート等の透光性樹脂からなるものであり、液晶表示素子２１と発光ダイオード２４の間に配置されている。
【００１８】
発光ダイオード２４は、白色で発光するものであり、レンズ２３を介して、液晶表示素子２２を照明する。回路基板２５には、後述するマイコン等が搭載されている。筐体２６には、液晶表示素子２２に対応する矩形の開口部２７が形成されている。液晶表示素子２２，レンズ２３，発光ダイオード２４及び回路基板２５は、筐体２６に収容されている。
【００１９】
３１は凹面反射ミラーであり、この凹面反射ミラー３１は液晶表示器２１が発した表示光Ｌをフロントガラスの方向に反射させる。凹面反射ミラー３１は樹脂（例えばポリカーボネート）に金属（例えばアルミニウム）を蒸着させ反射面を形成したものである。３２はミラーホルダーであり、凹面反射ミラー３１はミラーホルダー３２に貼着されている。ミラーホルダー３２は後述するケース体の底面に固定されている。
【００２０】
４１はフォトトランジスタ等の外光検出素子であり、この外光検出素子４１は保持部材４２に保持されている。外光検出素子４１の光軸は前向きになっており、車両前方の照度を検出する。外光検出素子４１を保持した保持部材４２は、液晶表示器２１の上面に図示しないビスによって固定されている。４３は回路基板であり、この回路基板４３に外光検出素子４１が電気的に接続されている。４４はハーネス等の配線部材であり、この配線部材４４の一端は回路基板４３に接続され、他端は回路基板２５に接続される。４５はゴム等の弾性部材であり、半円筒状曲面となっている保持部材４２の上端部に貼着されている。
【００２１】
５０はハウジングであり、このハウジング５０に液晶表示器２１，凹面反射ミラー３１，外光検出素子４１等が収容されている。ハウジング５０は、第一のケース体５１と、第二のケース体５２とからなっている。液晶表示器２１及びミラーホルダー３２は、第一のケース体５１の底面に固定されている。第二のケース体５２には開口部５３が形成されており、この開口部５３に透光性カバー５４が設けられている。透光性カバー５４はポリカーボネート等の透光性樹脂からなるものであり、湾曲形状になっている。表示光Ｌは、透光性カバー５４を透過し、表示装置からフロントガラスに出射する。
【００２２】
５５は遮光壁であり、この遮光壁５５は第二のケース体５２と一体に形成されており、太陽光が開口部５３から液晶表示器２１に入射し虚像が見えにくくなる現象（ウォッシュアウト）を防止している。遮光壁５５は第二のケース体５２の上壁から傾斜して垂下しており、外光検出素子４１に対応する箇所には孔部５６が形成されている。外光検出素子４１は、透光性カバー５４を透過し孔部５６を通過した外光を検出する。５７はガイド部であり、このガイド部５７はケース体５２の上壁と一体に形成されている。ガイド部５７は、保持部材４２の上部に対応する箇所に設けられており、略Ｖ字の凹部を有している。
【００２３】
以上説明した表示装置は、第一のケース体５１に液晶表示器２１，保持部材４２及び外光検出素子４１等が組付けられた第一のユニットＡと、第二のケース体５２及び透光性カバー５４からなる第二のユニットＢとから構成されている（図３参照）。
第二のユニットＢを第一のユニットＡに組付けるときには、保持部材４２の上部がガイド部５７に押圧されることによって、外光検出素子４１が所定位置（孔部２６に対応する位置）にガイドされる。
【００２４】
次に、図４に示すブロック図に基づいて、表示装置の電気的構成について説明する。６１は速度センサであり、この速度センサ６１はマイコン６２（制御手段）に速度データを出力する。マイコン６２は、ＣＰＵ６３，ＲＡＭ６４，ＲＯＭ６５を有する。マイコン６２は、回路基板２５に搭載されており、駆動回路６６，６７を介して液晶表示素子２２及び発光ダイオード２４を駆動する。マイコン６２は、外光検出素子４１が出力した照度データに基づいて、ＲＯＭ６５に記憶されたプログラムに従って、所定の演算処理を行い、発光ダイオード２４の輝度を調整する。
【００２５】
本実施形態によれば、外光検出素子４１を第一のユニットＡ側に設けたため、第二のユニットＢを第一のユニットＡに組付ける作業と、回路基板４３と回路基板２５を配線部材４４で接続する作業が別々になり、第一のユニットＡと第二のユニットＢの組付けの作業性が良好である。また、第二のケース体５２に、保持部材４２に保持された外光検出素子４１を所定の位置に案内するためのガイド部５７を設けたことにより、第二のユニットＢを第一のユニットＡに組付けるときに、外光検出素子４１を所定位置にガイドすることができる。また、保持部材４２に弾性部材４５を設けたことにより、保持部材４２が振動によって揺れ動いて、外光検出素子４１の光軸が所定位置から外れる虞が少ない。
【００２６】
なお、本実施形態の表示器は液晶表示器２１であったが、例えば蛍光表示管または有機ＥＬ表示器であっても良い。また、本実施例は、フロントガラスで表示光Ｌを反射させて虚像を表示するヘッドアップディスプレイであったが、本発明は他の表示装置にも適用できることは言うまでもない。
【００２７】
【発明の効果】
本発明は、表示光を発する表示器と、外光の照度を検出して照度データを出力する外光検出素子と、前記照度データに基づいて前記表示器の発光輝度を調整する制御手段と、前記表示器を収容する第一のケース体と、を備えた第一のユニットと、前記表示光が出射する透光性カバーと、前記透光性カバーが設けられる開口部を有し前記第一のケース体に組付けられる第二のケース体と、を備えた第二のユニットと、からなるものであり、第二のユニットには、配線部材を接続する必要がないため、第一のユニットと第二のユニットの組付けの作業性が良好である。
【００２８】
また、本発明は、表示光を発する表示器と、外光の照度を検出して照度データを出力する外光検出素子と、前記照度データに基づいて前記表示器の発光輝度を調整する制御手段とを、第一のケース体及び第二のケース体からなるハウジングに収容した表示装置において、前記表示器及び前記外光検出素子を前記第一のケース体側に固定したものであり、配線部材を接続する部品が第二のケース体には無いため、第一のケース体と第二のケース体の組付けの作業性が良好である。
【図面の簡単な説明】
【図１】本発明の実施形態を示す断面図。
【図２】同上実施形態を示す断面図。
【図３】同上実施形態を示す分解断面図。
【図４】同上実施形態を示すブロック図。
【図５】従来例を示すヘッドアップディスプレイの概略図。
【図６】同上従来例を示す断面図。
【図７】同上従来例を示す分解断面図。
【符号の説明】
２１  液晶表示器（表示器）
４１  外光検出素子
４２  保持部材
４５  弾性部材
５１  第一のケース体
５２  第二のケース体
５３  開口部
５４  透光性カバー
５５  遮光壁
５６  孔部
５７  ガイド部
６２  マイコン（制御手段）
Ａ  第一のユニット
Ｂ  第二のユニットＢ
【図１】
2004322798.tif 000003
【図２】
2004322798.tif 000004
【図３】
2004322798.tif 000005
【図４】
2004322798.tif 000006
【図５】
2004322798.tif 000007
【図６】
2004322798.tif 000008
【図７】
2004322798.tif 000009